(57)【要約】【目的】断熱箱体の天面にコネクタ接続部を設けた冷蔵庫において、天井面から水分等がコネクタ結合部まで浸入せず、扉体の表示装置の表示機能を損なうことがないようにした冷蔵庫を提供する。【構成】コネクタ接続部６にコネクタボックス５を使用し、コネクタボックス５の上面外周に、同上面外周から外側方向に延出する延出部５ａを設け、上面内側のリード線９が入る側に上部へリブを立ち上げて爪部５ｂを形成し、上ヒンジ１１に連なる外箱２の天面板２ａに間口の狭い挿通孔２ｂを設け、挿通孔２ｂのリード線９が入る一辺側にコネクタボックス５の一側に設けた爪部５ｂを嵌合して、コネクタボックス５を取り付けるようにし、コネクタボックス５の爪部５ｂに連続し、天面板２ａに設けた挿通孔２ｂに対向するように全周にリブ５ｃを設け、コネクタボックス５のリード線挿入部５ｆを形成している。【選択図】  図３
2004239583.tif 000002
【特許請求の範囲】
【請求項１】
冷蔵庫上部扉前面にて温度等の表示を行う表示装置と、同表示装置から上ヒンジを通って断熱箱体へ導くリード線と、断熱箱体側からのリード線と、同各リード線と接続された各コネクタと、前記断熱箱体の天面板内に埋め込まれ前記表示装置からのリード線を挿入する挿入部を備えたコネクタ接続部と、同コネクタ接続部で各コネクタを結合し、ヒンジカバーでヒンジおよびコネクタ接続部をカバーするように構成された冷蔵庫において、
前記コネクタ接続部にコネクタボックスを嵌め込み、同コネクタボックスの前記表示装置からのリード線を挿入する挿入部の外周にリブを設けてなることを特徴とする冷蔵庫。
【請求項２】
前記コネクタボックスのリード線挿入部以外は、前記天面板に被われるように形成してなることを特徴とする請求項１記載の冷蔵庫。
【請求項３】
前記コネクタボックスの上面外周に、同上面外周から外側方向に延出する延出部を設け、上面内側の前記リード線挿入部に上部へリブを立ち上げて爪部を形成してなることを特徴とする請求項１記載の冷蔵庫。
【請求項４】
前記コネクタボックスのリード線挿入部の間口を前記コネクタが入る程度に狭く形成してなることを特徴とする請求項１記載の冷蔵庫。
【請求項５】
前記リブの上辺縁を、アール形状に形成してなることを特徴とする請求項１記載の冷蔵庫。
【請求項６】
前記コネクタボックスの底部外周を、アール形状に形成してなることを特徴とする請求項１記載の冷蔵庫。
【請求項７】
前記コネクタボックスのリード線挿入部と反対側に、凹部を形成してなることを特徴とする請求項１記載の冷蔵庫。
【発明の詳細な説明】
【０００１】
【発明の属する技術分野】
本発明は冷蔵庫の扉開閉装置に関し、特に扉体に組み込んだ表示基板等に連なるリード線コネクタと断熱箱体天面に設けられた本体側コネクタとの結合部を収納する構造に関する。
【０００２】
【従来の技術】
冷蔵庫は例えば図１および図４で示すように、１は断熱箱体であり、２は外箱、３は内箱、４は断熱材である。前記断熱箱体１の天面部に埋め込まれているコネクタ接続部６がある。７は上部扉である。８は前記上部扉７の前面にて温度等の表示を行う表示装置である。９は前記表示装置８から前記コネクタ接続部６へ導くリード線である。１０はリード線９を通す貫通穴を有する前記上部扉７の上ヒンジ軸である。１１は上ヒンジである。１２は上ヒンジ１１のリード線９が通る貫通穴である。１３は上ヒンジ１１とリード線９を覆うヒンジカバーである。１４は断熱箱体１側からのリード線である。
【０００３】
前記表示装置８から前記コネクタ接続部６へ導くリード線９の前記コネクタ接続部６側にはコネクタ１５が接続されている。また、断熱箱体１側からのリード線１４にもコネクタ１６が接続されており、同コネクタ１６は前記コネクタ接続部６の一側に固定されている。そして、前記コネクタ１５を前記コネクタ１６に結合させることにより、前記表示装置８への信号を伝達するようにしてなるもの（例えば特許文献１参照）がある。
【０００４】
しかしながら、制御部を前記断熱箱体１の天井面に配置していない冷蔵庫においては、前記断熱箱体１の天井面に物品が置かれている場合が多く、水分等を含むものが置かれた場合、零してしまう恐れがあり、上述のような構成では、零された水等がコネクタ結合部まで浸入し、前記表示装置８の表示が誤表示される恐れのある問題を有していた。
【０００５】
【特許文献１】
特開平４−６８２８３号公報（第１−２頁、第４図）
【０００６】
【発明が解決しようとする課題】
本発明においては、上記問題点に鑑み、制御部を断熱箱体の天井面に配置していなく、断熱箱体の天面にコネクタ接続部を設けた冷蔵庫において、天井面に物品が置かれて水分等を含むものを零された場合においても、水等がコネクタ結合部まで浸入せず、扉体の表示装置の表示機能を損なうことがないようにした冷蔵庫を提供することを目的としている。
【０００７】
【課題を解決するための手段】
本発明は、上記問題点を解決するため、冷蔵庫上部扉前面にて温度等の表示を行う表示装置と、同表示装置から上ヒンジを通って断熱箱体へ導くリード線と、断熱箱体側からのリード線と、同各リード線と接続された各コネクタと、前記断熱箱体の天面板内に埋め込まれ前記表示装置からのリード線を挿入する挿入部を備えたコネクタ接続部と、同コネクタ接続部で各コネクタを結合し、ヒンジカバーでヒンジおよびコネクタ接続部をカバーするように構成された冷蔵庫において、
前記コネクタ接続部にコネクタボックスを嵌め込み、同コネクタボックスの前記表示装置からのリード線を挿入する挿入部の外周にリブを設けた構成となっている。
【０００８】
前記コネクタボックスのリード線挿入部以外は、前記天面板に被われるように形成した構成となっている。
【０００９】
前記コネクタボックスの上面外周に、同上面外周から外側方向に延出する延出部を設け、上面内側の前記リード線挿入部に上部へリブを立ち上げて爪部５ｂを形成した構成となっている。
【００１０】
前記コネクタボックスのリード線挿入部の間口を前記コネクタが入る程度に狭く形成した構成となっている。
【００１１】
前記リブの上辺縁を、アール形状に形成した構成となっている。
【００１２】
前記コネクタボックスの底部外周を、アール形状に形成した構成となっている。
【００１３】
前記コネクタボックスのリード線挿入部と反対側に、凹部を形成した構成となっている。
【００１４】
【発明の実施の形態】
以下、本発明の実施の形態を、添付図面に基づいた実施例として説明する。
図１は本発明の一実施例を示す冷蔵庫の天面斜視図であり、図２は本発明の一実施例を示す冷蔵庫の要部斜視図（Ａ）と要部の断面を表した要部拡大斜視図（Ｂ）である。図３は本発明の一実施例を示す冷蔵庫のコネクタボックスの拡大斜視図である。
なお、従来例と同じ部分の符号は同一とする。
【００１５】
図において１は断熱箱体（冷蔵庫本体）であり、２は外箱、３は内箱、４は断熱材である。前記断熱箱体１の天面部にはコネクタ接続部６を構成するコネクタボックス５がある。７は上部扉である。８は前記上部扉７の前面にて温度等の表示を行う表示装置である。９は前記表示装置８から前記コネクタ接続部６へ導くリード線である。１０はリード線９を通す貫通穴を有する前記上部扉７の上ヒンジ軸である。１１は上ヒンジである。１２は上ヒンジ１１のリード線９が通る貫通穴である。１３は上ヒンジ１１とリード線９を覆うヒンジカバーである。１４は断熱箱体１側からのリード線である。
【００１６】
前記表示装置８から前記コネクタ接続部６へ導くリード線９の前記コネクタ接続部６側にはコネクタ１５が接続されている。また、断熱箱体１側からのリード線１４にもコネクタ１６が接続されており、前記コネクタ１５とコネクタ１６とを前記コネクタ接続部６内で結合させることにより、前記表示装置８への信号を伝達するようにしてしている。
【００１７】
図２（Ａ）および図２（Ｂ）で示すように、本発明は前記コネクタ接続部６の構成として、図３に示すような前記コネクタボックス５を使用するもので、同コネクタボックス５の上面外周に、同上面外周から外側方向に延出する延出部５ａを設け、上面内側の前記リード線９が入る側に上部へリブを立ち上げて爪部５ｂを形成し、前記上ヒンジ１１に連なる前記外箱２の天面板２ａに間口が前記コネクタが入る程度の狭い挿通孔２ｂを設け、同挿通孔２ｂの前記リード線９が入る一辺側に前記コネクタボックス５の一側に設けた爪部５ｂを嵌合して、前記コネクタボックス５を取り付けるようにしている。
【００１８】
また、前記コネクタボックス５の爪部５ｂに連続し、前記天面板２ａに設けた挿通孔２ｂに対向するように全周にリブ５ｃを設けて、前記コネクタボックス５のリード線挿入部５ｆを形成し、同コネクタボックス５のリード線挿入部５ｆ以外は、前記天面板２ａに被われるように形成しており、このリブ５ｃを設けることにより水等を零された場合の浸水防止を図ることができる。また、前記天面板２ａの挿通孔２ｂの間口を狭くしたことにより、外気の侵入を少なくし、結露の防止を行っている。
【００１９】
なお、前記リブ５ｃは全周でなく、前記コネクタボックス５の内辺に連なるのみの略半周でも、前記延出部５ａと前記外箱２の天面板２ａとの密着により浸水防止を図ることができる。
【００２０】
また、図３（Ｂ）は図３（Ａ）のＡ−Ａ線における断面図で、図で示すように、前記リブ５ｃの上辺縁にはアールＲの形状として、前記リード線９の被覆へ傷付防止を図っている。
【００２１】
また、前記コネクタボックス５の爪部５ｂと上面内側の反対側には前記リード線１４が入る凹部５ｄを設け、各前記リード線９、１４の前記コネクタ１５とコネクタ１６とは前記コネクタボックス５内で結合される。
【００２２】
更に、図３（Ｃ）で示すように、前記コネクタボックス５の底部５ｅの外周には、大きなアールＲの形状として、前記断熱材４である発泡ウレタンの流れを妨げないようにしている。
【００２３】
【発明の効果】
以上説明したように、本発明によれば、制御部を断熱箱体の天井面に配置していなく、断熱箱体の天面にコネクタ接続部を設けた冷蔵庫において、天井面に物品が置かれて水分等を含むものを零された場合においても、水等がコネクタ結合部まで浸入せず、扉体の表示装置の表示機能を損なうことがないようにした冷蔵庫となる。
【図面の簡単な説明】
【図１】本発明および従来例を示す冷蔵庫の天面斜視図である。
【図２】本発明の一実施例を示す冷蔵庫の要部斜視図（Ａ）と要部の断面を表した要部拡大斜視図（Ｂ）である。
【図３】本発明の一実施例を示す冷蔵庫のコネクタボックスの拡大斜視図である。
【図４】従来例の冷蔵庫のコネクタ接続部を示す要部拡大断面図である。
【符号の説明】
１  断熱箱体（冷蔵庫本体）
２  外箱
３  内箱
４  断熱材
５  コネクタボックス
６  コネクタ接続部
７  上部扉
８  表示装置
９、１４  リード線
１０  上ヒンジ軸
１１  上ヒンジ
１２  貫通穴
１３  ヒンジカバー
１５、１６  コネクタ
【図１】
2004239583.tif 000003
【図２】
2004239583.tif 000004
【図３】
2004239583.tif 000005
【図４】
2004239583.tif 000006